(57)【要約】【目的】電子カメラにおいてあおり補正を行う。【構成】圧電素子７によってＣＣＤ６の受光面が傾斜自在になるように支持する。ユーザは，蛇腹３の後端面４を動かす。後端面の動きを変位センサ５によって検出し，あおり角およびあおり方向を検出する。検出したあおり角およびあおり方向にもとづいて，圧電素子７が制御される。ＣＣＤ６の受光面が傾斜され，あおり補正が行われる。【選択図】図１
2008154277.tif 000002
【特許請求の範囲】
【請求項１】
異なる焦点距離において同一の被写体を複数回撮像し，複数駒の被写体像を表す画像データを出力する撮像手段，
上記撮像手段から出力される画像データによって表される複数駒の被写体像のそれぞれを上記複数駒数の各部分領域に分割し，それぞれの駒の被写体像における各部分領域のうち合焦している部分領域を表す部分領域画像データを抽出する部分領域画像データ抽出手段，および
上記部分領域画像データ抽出手段によって抽出された部分領域画像データによって表される部分領域を組み合わせて，一駒の被写体像を表す合成画像データを生成して出力する画像合成手段，
を備えた電子カメラ。
【請求項２】
あおり角およびあおり方向をそれぞれ検出するあおり検出手段，
被写体を撮像し，被写体像を表す画像データを出力する撮像手段，
上記あおり検出手段によって検出されたあおり角およびあおり方向にもとづいて上記被写体像の領域ごとのエッジ強調量を算出するエッジ強調量算出手段，ならびに
上記エッジ強調量算出手段によって算出されたエッジ強調量にもとづいて，上記撮像手段から出力された画像データによってあらわされる被写体像をエッジ強調するエッジ強調手段，
を備えた電子カメラ。
【請求項３】
異なる焦点距離において同一の被写体を複数回撮像して，複数駒の被写体像を表す画像データを得，
得られた画像データによって表される複数駒の被写体像のそれぞれを上記複数駒数の各部分領域に分割し，それぞれの駒の被写体像における各部分領域のうち合焦している部分領域を表す部分領域画像データを抽出し，
抽出された部分領域画像データによって表される部分領域を組み合わせて，一駒の被写体像を表す合成画像データを生成して出力する，
電子カメラの制御方法。
【請求項４】
あおり角およびあおり方向をそれぞれ検出し，
被写体を撮像し，被写体像を表す画像データを得，
検出されたあおり角およびあおり方向にもとづいて上記被写体像の領域ごとのエッジ強調量を算出し，
算出されたエッジ強調量にもとづいて，撮像によって得られた画像データによって表される被写体像をエッジ強調する，
電子カメラの制御方法。
【請求項５】
固体電子撮像素子を支持する固体電子撮像素子支持機構，
ストロボ発光装置，および
上記ストロボ発光装置を発光させるための駆動電圧を用いて，上記固体電子撮像素子支持機構を制御する制御手段，
を備えた電子カメラ。
【請求項６】
上記固体電子撮像素子支持機構が圧電素子である，請求項５に記載の電子カメラ。
【請求項７】
被写体を撮像し，被写体像を表す画像データを出力する撮像手段，
上記撮像手段から出力される画像データによって表される被写体像を画像表示領域に表示する表示装置，および
上記画像表示領域に表示されている被写体像の一部を拡大して上記画像表示領域に表示する制御手段，
を備えた電子カメラ。
【請求項８】
上記制御手段は，
上記画像表示領域に表示されている被写体像の一部を上記画像表示領域の領域の一部に拡大表示するものである，
請求項７に記載の電子カメラ。
【請求項９】
上記制御手段は，
上記画像表示領域に表示されている被写体像の複数の部分を拡大して上記画像表示領域に表示するものである，
請求項７に記載の電子カメラ。
【請求項１０】
上記制御手段は，
上記被写体像の中央部分とその他の部分を拡大して上記画像表示領域に表示するものである，請求項７に記載の電子カメラ。
【請求項１１】
上記制御手段は，
上記被写体像の中央部分とその周辺部分を拡大して上記画像表示領域に表示するものである，
請求項７に記載の電子カメラ。
【請求項１２】
固体電子撮像素子指示機構を用いて固体電子撮像素子を支持しておき，
ストロボ発光装置を発光させるための駆動電圧を用いて，上記固体電子撮像素子支持機構を制御する，
電子カメラの制御方法。
【請求項１３】
被写体を撮像し，被写体像を表す画像データを得，
撮像によって得られた画像データによって表される被写体像を画像表示領域に表示し，
上記画像表示領域に表示されている被写体像の一部を拡大して上記画像表示領域に表示する，
電子カメラの制御方法。
【発明の詳細な説明】
【技術分野】
【０００１】
この発明は，被写体を撮像し，被写体像を表す画像データを出力する電子カメラおよびその制御方法に関する。
【背景技術】
【０００２】
写真フイルムに被写体像を記録するいわゆる銀塩カメラには蛇腹の先端に撮像レンズを保持しているものがある。このようなカメラでは，ユーザが手で蛇腹を動かし写真フイルムの結像面上における光軸と撮像レンズの光軸とをずらすこと（あおり補正）により異なる距離にある複数の被写体のピントを合わせることができる。
【０００３】
固体電子撮像素子を用いて被写体を撮像する電子カメラにおいては，撮像素子を傾斜させてあおりを行うものも実現されている（特開平9-331476号）が，任意の方向にあおり補正を行うことはできない。
【０００４】
また，電子カメラにおいてあおり補正を行った場合に，撮像範囲内においてどの部分が合焦しているかを確認することが困難な場合がある。
【０００５】
さらに，被写体像を表すディジタル画像データを得ることができる，という電子カメラの特性を考慮して機械的なあおりと同様な効果を得る（いわゆる電子的なあおり補正）ようにすることも要望されている。
【発明の開示】
【０００６】
この発明は，任意の方向にあおり補正を行うことができる電子カメラを提供することを目的とする。
【０００７】
また，この発明は，あおり補正を行った場合に撮像範囲内における合焦範囲を確認できるようにすることを目的とする。
【０００８】
さらに，この発明は，いわゆる電子的なあおり補正を行うことができるようにすることを目的とする。
【０００９】
第１の発明による電子カメラは，受光面に被写体像が結像することにより被写体像を表す画像データを出力する固体電子撮像素子，上記受光面が，傾斜自在になるように上記固体電子撮像素子を支持する固体電子撮像素子支持機構，あおり角およびあおり方向をそれぞれ検出するあおり検出手段，ならびに上記あおり検出手段により検出されたあおり角およびあおり方向にもとづいて，上記固体電子撮像素子支持機構を制御するあおり制御手段を備えたことを特徴とする。
【００１０】
第１の発明は，上記電子カメラに適した方法も提供している。すなわち，受光面に被写体像が結像することにより被写体像を表す画像データを出力する固体電子撮像素子の上記受光面が，傾斜自在になるように上記固体電子撮像素子を支持しておき，あおり角およびあおり方向をそれぞれ検出し，検出されたあおり角およびあおり方向にもとづいて，上記固体電子撮像素子の支持を制御するものである。
【００１１】
第１の発明によると，上記固体電子撮像素子の受光面が傾斜自在になるように上記固体電子撮像素子が支持されている。上記あおり検出手段によって上記あおり角およびあおり方向が検出されると，検出されたあおり角およびあおり方向にもとづいて上記固体電子撮像素子の支持が制御される（たとえばあおり角と同じ角度または大きい角度もしくは小さい角度だけ，あおり方向と同じ方向に傾斜するように固体電子撮像素子の支持が制御される）。
【００１２】
上記固体電子撮像素子の受光面が任意の傾斜となるようにあおられる。
【００１３】
上記電子カメラが，被写体を上記固体電子撮像素子の受光面上に結像する撮像レンズを含む蛇腹ユニットをさらに備えているときには，ユーザは，上記あおりユニットを操作する。この操作にもとづいて上記あおり角およびあおり方向が検出される。また，あおり角およびあおり方向を入力する入力手段を設け，入力されたあおり角およびあおり方向にもとづいて上記固体電子撮像素子の受光面が任意の傾斜となるように上記固体電子撮像素子の支持が制御されてもよい。
【００１４】
ストロボ発光装置，および上記ストロボ発光装置を発光させるための駆動電圧を充電するストロボ・コンデンサをさらに備えている電子カメラにおいては，上記あおり制御手段の駆動電圧が上記ストロボ・コンデンサから供給されるようにしてもよい。
【００１５】
上記あおり制御手段の駆動電源を新たに設けることが不要となる。
【００１６】
電子カメラ本体は小型化が要求されているため，電子カメラに備えられているモニタ表示装置の大きさもおのずから制限がある。このため，モニタ表示装置の解像度は低いことが多い。あおり補正を行って被写体を撮像しても合焦しているかどうか確認することが困難である。
【００１７】
このため，上記固体電子撮像素子から出力される画像データによって表される被写体像を表示する表示装置，あおり確認指令を入力するあおり確認指令入力手段，および上記あおり確認指令入力手段から入力されたあおり確認指令に応答して，上記表示装置に表示されている被写体像の一部を拡大して表示するように上記表示装置を制御する表示制御手段をさらに備えてもよい。
【００１８】
被写体像の一部を拡大できるので，拡大した部分が合焦しているかどうかが確認しやすくなる。
【００１９】
第２の発明による電子カメラは，異なる焦点距離において同一の被写体を複数回撮像し，複数駒の被写体像を表す画像データを出力する撮像手段，上記撮像手段から出力される画像データによって表される複数駒の被写体像のそれぞれを上記複数駒数の各部分領域に分割し，それぞれの駒の被写体像における各部分領域のうち合焦している部分領域を表す部分領域画像データを抽出する部分領域画像データ抽出手段，および上記部分領域画像データ抽出手段によって抽出された部分領域画像データによって表される部分領域を組み合わせて，一駒の被写体像を表す合成画像データを生成して出力する画像合成手段を備えたことを特徴とする。
【００２０】
第２の発明は，上記電子カメラに適した方法も提供している。すなわち，異なる焦点距離において同一の被写体を複数回撮像して，複数駒の被写体像を表す画像データを得，得られた画像データによって表される複数駒の被写体像のそれぞれを上記複数駒数の各部分領域に分割し，それぞれの駒の被写体像における各部分領域のうち合焦している部分領域を表す部分領域画像データを抽出し，抽出された部分領域画像データによって表される部分領域を組み合わせて，一駒の被写体像を表す合成画像データを生成して出力するものである。
【００２１】
第２の発明によると，合焦している複数の上記各部分領域を用いて一駒の合成画像が得られる。得られた一駒の合成画像はすべての領域が合焦していることとなる。機械的なあおり補正をすることなく，電子的なあおりを実現することができる。
【００２２】
第３の発明による電子カメラは，あおり角およびあおり方向をそれぞれ検出するあおり検出手段，被写体を撮像し，被写体像を表す画像データを出力する撮像手段，上記あおり検出手段によって検出されたあおり角およびあおり方向にもとづいて上記被写体像の領域ごとのエッジ強調量を算出するエッジ強調量算出手段，ならびに上記エッジ強調量算出手段によって算出されたエッジ強調量にもとづいて，上記撮像手段から出力された画像データによってあらわされる被写体像をエッジ強調するエッジ強調手段を備えたことを特徴とする。
【００２３】
第３の発明は，上記電子カメラに適した方法も提供している。すなわち，あおり角およびあおり方向をそれぞれ検出し，被写体を撮像し，被写体像を表す画像データを得，検出されたあおり角およびあおり方向にもとづいて上記被写体像の領域ごとのエッジ強調量を算出し，算出されたエッジ強調量にもとづいて，撮像によって得られた画像データによって表される被写体像をエッジ強調するものである。
【００２４】
第３の発明によると，上記あおり検出手段によりあおり角およびあおり方向がそれぞれ検出される。検出されたあおり角およびあおり方向にもとづいて上記被写体像の領域ごとのエッジ強調量が算出される。算出されたエッジ強調量にもとづいて被写体像を表す画像データがエッジ強調される。
【００２５】
エッジ強調されているので，合焦せずにぼけている被写体像であっても合焦している被写体像として見える。
【実施例】
【００２６】
図１は，この実施例による電子カメラの電気的構成を示すブロック図である。電子カメラの全体の動作は，制御ＣＰＵ10によって統括される。
【００２７】
異なる距離にある複数の被写体を撮像するとき，すべての被写体にピントを合わせることは困難である。すべての被写体にピントが合った画像を得るためにあおり補正が行われる。電子カメラには，あおり補正を行うために，伸縮自在な蛇腹３が設けられている。
【００２８】
蛇腹３の先端面２には撮像レンズ１が保持されている。ユーザは，蛇腹３の後端面４を上下，左右などに動かすことによりあおり角およびあおり方向を設定する。設定されたあおり角および方向にもとづいて，あおり補正が行なわれる。蛇腹３の先端面２を上下，左右に動かすことによりあおり角およびあおり方向を設定するようにしてもよい。
【００２９】
蛇腹３の後端面４の動いた角度および動き方向（あおり角およびあおり方向）は，変位センサ５によって検出される。変位センサ５によって検出されたあおり角およびあおり方向を表すデータは，制御ＣＰＵ10に入力する。
【００３０】
変位センサ５は，ジョイスティックの傾斜角および傾斜方向を検出するセンサを適用することができる。ジョイスティックの傾斜角および傾斜方向を検出する場合と同様にして，蛇腹３の後端面４のあおり角およびあおり方向を検出する。
【００３１】
撮像レンズ１によって被写体像がＣＣＤ６の受光面上に結像する。ＣＣＤ６から被写体像を表す映像信号が出力され，撮像回路８に入力する。映像信号は，撮像回路８においてディジタル画像データに変換されて出力する。電子カメラにはそれぞれが一駒の画像を表す画像データを記憶できる第１の画像メモリ11Ａから第４の画像メモリ11Ｄが含まれている。したがって電子カメラは，４駒の画像を表す画像データを一時的に記憶することができる。
【００３２】
撮像回路８から出力される画像データは，第１の画像メモリ11Ａに一時的に記憶される。もっともほかの画像メモリ11Ｂから11Ｄに記憶するようにしてもよい。第１の画像メモリ11Ａに記憶された画像データは，第１の画像メモリ11Ａから読み出され，画像再生装置13に入力する。画像データは，画像再生装置13において再生処理が行われ，表示装置20に入力する。表示装置20の表示画面上に撮像した被写体像が表示される。
【００３３】
第１の画像メモリ11Ａに一時的に記憶された画像データは，外部記憶装置12にも入力する。外部記憶装置12によって被写体像を表す画像データが記憶媒体（メモリ・カード，フロッピィ・ディスクなど）に記憶される。
【００３４】
電子カメラは，ストロボ撮像が可能である。ストロボ撮像のためにストロボ発光装置15が設けられている。制御ＣＰＵ10によってストロボ制御回路14が制御される。ストロボ制御回路14によってストロボ・コンデンサ16に充電された電荷が放電され，ストロボ発光装置15が発光する。ストロボ・コンデンサ16に蓄積された電荷は，圧電素子７を駆動するためにも用いられる。
【００３５】
ＣＣＤ６は，その四隅が圧電素子７によって傾斜自在に支持されている。圧電素子７は圧電素子制御回路９によって制御される。
【００３６】
ユーザによって蛇腹３の後端面４が動かされると，あおり角およびあおり方向が変位センサ５によって検出される。検出されたあおり角およびあおり方向を表すデータは，変位センサ５から制御ＣＰＵ10に入力する。制御ＣＰＵ10によって圧電素子制御回路９が制御され，この圧電素子制御回路９によってＣＣＤ６の四隅を支持している圧電素子７が制御される。圧電素子７によってＣＣＤ６が傾斜させられ，あおり補正が実行されることとなる。
【００３７】
変位センサ５によって検出されたあおり角およびあおり方向にもとづいて定められるＣＣＤ６の傾斜の程度は，ユーザが自在に設定することができる。たとえば，６Ｘ７フイルムのカメラにおいて蛇腹を動かしてあおり補正を行う場合と同様にしてもよいし，６Ｘ９フイルムのカメラにおいて蛇腹を動かしてあおり補正を行う場合と同様にしてもよい。
【００３８】
上述した電子カメラにおいては，ユーザが蛇腹３の後端４を動かしてあおり角およびあおり方向を設定しているがあおり角およびあおり方向をユーザが入力するようにしてもよい。
【００３９】
ＣＣＤ６の画素ピッチが細密になるにつれて，ＣＣＤ６の傾斜制御にミクロン・オーダの制御が必要となる。画素ピッチは，数μｍであるため，ＣＣＤ６での像面深度は，開放絞りがＦ２程度であれば，２×（数μｍ）＝10μｍ程度である。圧電素子７を用いることにより高精度の制御が可能となる。
【００４０】
圧電素子７は，制御するために100Ｖから200Ｖ程度の電圧を必要とする。上述のようにコンデンサ16にストロボ発光用の電荷が蓄積されているので，このコンデンサ16に蓄積されている電荷を圧電素子７の駆動電圧として用いることができる。これにより圧電素子７を駆動するための専用の電源が不要となる。
【００４１】
図２（Ａ）および（Ｂ）は，表示装置20の表示画面の一例を示している。
【００４２】
図２（Ａ）を参照して，表示装置20の表示画面には画像表示領域21，あおり指令領域25およびあおり確認モード設定領域26が含まれている。
【００４３】
画像表示領域21には，撮像によって得られる被写体像が表示される。図２（Ａ）に示す例では，距離が異なる第１の被写体から第４の被写体があり，これらの第１の被写体から第４の被写体を撮像して，第１の被写体像ＯＢ１から第４の被写体像ＯＢ４が表示されている。第１の被写体から第４の被写体になるにつれ，序々に距離が近くなっている。第４の被写体像ＯＢ４が合焦しており，第１の被写体像ＯＢ１になるにつれぼけている。
【００４４】
あおり指令領域25には上下左右の方向に４つの矢印が表示されている。これらの４つの矢印の中から所望の方向を表す矢印上をユーザがタッチすることによりあおり方向が指令として電子カメラに入力する。また，あおり指令領域25の矢印上をユーザがタッチしている時間が制御ＣＰＵ10内のカウンタ（図示略）によって計測される。その矢印上をユーザがタッチしている時間にもとづいてあおり角が決定する。この矢印上をユーザがタッチしている時間が長ければ，あおり角が大きくなる。
【００４５】
あおり指令領域25から入力されたあおり角およびあおり方向を表すデータは，制御ＣＰＵ10に入力し，制御ＣＰＵ10によって圧電素子制御回路９が制御される。圧電素子制御回路９によって圧電素子７が駆動され，ＣＣＤ６が傾斜させられる。
【００４６】
表示装置20の表示画面上のあおり確認モード設定領域26がユーザによってタッチされると，あおり確認モードが設定される。
【００４７】
あおり確認モードとなると，図２（Ｂ）に示すように画像表示領域21は，５分割される。画像表示領域21には第１の画像拡大表示領域22Ａ，第２の画像拡大表示領域22Ｂ，第３の画像拡大表示領域22Ｃ，第４の画像拡大表示領域22Ｄおよび第５の画像拡大表示領域22Ｅが含まれている。
【００４８】
第１の画像拡大表示領域22Ａは，図21（Ａ）に示すように画像表示領域21に表示されている被写体像を16分割し，かつ中央にその16分割したときと同じ大きさの領域を形成したときに，画像表示領域21の左上隅の部分を含む第１の画像分割領域21Ａを面積比４倍に拡大したものである。
【００４９】
同様に，第２の画像拡大表示領域22Ｂは，画像表示領域21の左下隅の部分を含む第２の画像分割領域21Ｂを面積比４倍に拡大したものであり，第３の画像拡大表示領域22Ｃは，画像表示領域21の右上隅の部分を含む第３の画像分割領域21Ｃを面積比４倍に拡大したものであり，第４の画像拡大表示領域22Ｄは，画像表示領域21の右下隅の部分を含む第４の画像分割領域21Ｄを面積比４倍に拡大したものであり，第５の画像拡大表示領域22Ｅは，画像表示領域21の中央の部分を含む第５の画像分割領域21Ｅを面積比約４倍に拡大したものである。
【００５０】
電子カメラの大きさの制約から，電子カメラに備えられている表示装置の表示画面は一般的に小さい。したがって表示装置の解像度も低く，被写体像が合焦しているか確認することが難しい。この実施例による電子カメラにおいては，あおり確認モードとなると，表示画面の表示領域の一部が拡大して表示されるので，被写体像が合焦しているかを確認するのが比較的容易となる。
【００５１】
図２（Ｂ）においては，５分割表示されているが，５分割表示に限らず，そのほかの分割方法にしたがって表示してもよい。また，画像表示領域21を分割表示せずに，画像表示領域21の一部を画像表示領域21の全面に拡大表示するようにしてもよい。
【００５２】
図３から図５は，他の実施例を示すものである。図３は，電子カメラの電気的構成を示すブロック図，図４（Ａ），（Ｂ），（Ｃ）および（Ｄ）は，被写体像の一例を示し，図５は図３に示す電子カメラによって得られる合成画像の一例を示している。
【００５３】
図３において，図１に示すものと同一物には同一符号を付して説明を省略する。
【００５４】
図３に示す電子カメラにおいては，蛇腹３は設けられていない。ＣＣＤ６の前方には，撮像レンズ・ユニット（図示略）を含む鏡筒30が設けられている。また，撮像レンズ・ユニットを駆動するためのモータ18が設けられている。このモータ18は，モータ制御回路17によって駆動させられる。
【００５５】
モータ18によって撮像レンズ・ユニットが複数の異なる焦点距離で合焦するように駆動させられ，それぞれの焦点距離で同一の被写体像が撮像される。
【００５６】
この実施例では，焦点距離Ａ，焦点距離Ｂ，焦点距離Ｃおよび焦点距離Ｄにおいて第１回目の撮像，第２回目の撮像，第３回目の撮像および第４回目の撮像がそれぞれ行われ，それぞれの焦点距離において被写体像を表す画像データが得られる（図４（Ａ），（Ｂ），（Ｃ）および（Ｄ）参照）。第１回目の撮像により得られた画像データは，第１の画像メモリ11Ａに記憶され，第２回目の撮像により得られた画像データは，第２の画像メモリ11Ｂに記憶され，第３回目の撮像により得られた画像データは，第３の画像メモリ11に記憶され，第４回目の撮像により得られた画像データは，第４の画像メモリ11Ｄに記憶される。
【００５７】
図４（Ａ）を参照して，焦点距離Ａの画像は領域Ａの部分が合焦している。図４（Ｂ）を参照して，焦点距離Ｂの画像は領域Ｂの部分が合焦している。図４（Ｃ）を参照して，焦点距離Ｃの画像は領域Ｃの部分が合焦している。図４（Ｄ）を参照して，焦点距離Ｄの画像は領域Ｄの部分が合焦している。
【００５８】
画像メモリ11Ａから11Ｄに一時的に記憶されている４駒分の画像を表す画像データは，画像メモリ11Ａから11Ｄから読み出され，制御ＣＰＵ10に入力する。制御ＣＰＵ10において，図４（Ａ）に示す焦点距離Ａでの画像のうち領域Ａの画像部分を表す画像データが抽出され，図４（Ｂ）に示す焦点距離Ｂでの画像のうち領域Ｂの画像部分を表す画像データが抽出され，図４（Ｃ）に示す焦点距離Ｃでの画像のうち領域Ｃの画像部分を表す画像データが抽出され，図４（Ｄ）に示す焦点距離Ｄでの画像のうち領域Ｄの画像部分を表す画像データが抽出される。
【００５９】
抽出された領域Ａの画像部分を表す部分画像データ，領域Ｂの画像部分を表す部分画像データ，領域Ｃの画像部分を表す部分画像データおよび領域Ｄの画像部分を表す部分画像データを用いて，図５に示すように一駒の画像を表すように合成される。得られた合成画像は，各領域においてすべて合焦していることとなる。異なる距離にある被写体であってもすべての被写体が合焦している被写体像が得られる。
【００６０】
図６および図７は，さらに他の実施例を示すもので，図６は，電子カメラの電気的構成を示すブロック図，図７は，被写体像の一例を示している。図６においても図１および図３に示すものと同一物には同一符号を付して説明を省略する。
【００６１】
ＣＣＤ６によって被写体が撮像され，被写体像を表す画像データが画像メモリ11に一時的に記憶される。
【００６２】
ユーザによって蛇腹３の後端面４が動かされ，あおり角およびあおり方向が変位センサ５によって検出され，あおり角およびあおり方向を表すデータが制御ＣＰＵ10に入力する。
【００６３】
画像メモリ11に一時的に記憶されている画像データが，画像メモリ11から読み出され，制御ＣＰＵ10に入力する。
【００６４】
制御ＣＰＵ10は，画像のエッジ強調処理が可能である。制御ＣＰＵ10において，入力した画像データによって表される被写体像が，あおり角およびあおり方向に応じてエッジ強調処理が行われる。このエッジ強調処理によって，異なる距離にあるために非合焦でピントがぼけている被写体像が合焦しているように見せることができる。
【００６５】
上述のようにエッジ強調処理を行わずに異なる距離にある複数の被写体を撮像したときに得られる被写体像が，図２（Ａ）に示されている。このように第４の被写体像ＯＢ４は，合焦しているが，第１の被写体像ＯＢ１は，非合焦である。このような被写体像を表す画像データについて距離が遠い地点にある被写体ほどエッジ強調処理を行うことにより，図７に示すようにすべての被写体像が合焦しているように見える被写体像が得られる。
【００６６】
図６に示す電子カメラにおいては，蛇腹３の後端面４をユーザが動かすことによりあおり角およびあおり方向を設定しているが，図２（Ａ）および図２（Ｂ）に示すようにあおり指令領域からあおり角およびあおり方向を入力するようにすることもできる。
【図面の簡単な説明】
【００６７】
【図１】電子カメラの電気的構成を示すブロック図である。
【図２】（Ａ）および（Ｂ）は，表示装置の表示画面の一例を示す。
【図３】電子カメラの電気的構成を示すブロック図である。
【図４】（Ａ）から（Ｄ）は，被写体像の一例を示している。
【図５】合成画像の一例を示している。
【図６】電子カメラの電気的構成を示すブロック図である。
【図７】被写体像の一例を示している。
【符号の説明】
【００６８】
１ 撮像レンズ
３ 蛇腹
４ 後端面
５ 変位センサ
６ ＣＣＤ
７ 圧電素子
８ 撮像回路
９ 圧電素子制御回路
10 制御ＣＰＵ
11，11Ａ，11Ｂ，11Ｃ，11Ｄ 画像メモリ
13 画像再生装置
20 表示装置
【図１】
2008154277.tif 000003
【図２】
2008154277.tif 000004
【図３】
2008154277.tif 000005
【図４】
2008154277.tif 000006
【図５】
2008154277.tif 000007
【図６】
2008154277.tif 000008
【図７】
2008154277.tif 000009